(57)【要約】本発明は、家具又は家庭用器具(１)、特に冷蔵庫又は冷凍庫の要素のドア(２)用のベアリングアセンブリに関する。該ベアリングアセンブリは、家具又は家庭用器具(１)の要素の本体(３)上にて、ドア(２)をベアリング軸(４)の周りに回転可能に取り付けるベアリング要素(６)と、家具又は家庭用器具(１)の要素の本体(３)上、又はドア(２)上に固定される閉鎖デバイス(１０)であって、それによってドア(２)が駆動部により閉方向及び/又は開方向の特定の回転範囲に亘って動作可能な閉鎖デバイス(１０)と、ドア(２)のベアリング軸(４)に略平行な回転軸(７１)を有する第１の回転要素(７)を有し、該第１の回転要素(７)はベアリング軸(４)周りのドア(２)の回転運動を支持し、第１の回転要素(７)とドア(２)は、補償デバイスを介して互いに接続され、該補償デバイスは第１の回転要素(７)の回転軸(７１)とドア(２)のベアリング軸(４)の間の誤った配置を補償する。【選択図】図１
2017516056.tif 000002
【特許請求の範囲】
【請求項１】
家具又は家庭用器具(１)、特に冷蔵庫又は冷凍庫の要素のドア(２)用のベアリングアセンブリであって、
- 家具又は家庭用器具(１)の要素の本体(３)上にて、ドア(２)をベアリング軸(４)の周りに回転可能に取り付けるベアリング要素(６)と、
- 家具又は家庭用器具(１)の要素の本体(３)上、又はドア(２)上に固定される閉鎖デバイス(１０)であって、それによってドア(２)が駆動部により閉方向及び/又は開方向の特定の回転範囲に亘って動作可能な閉鎖デバイス(１０)とを有し、
- 前記閉鎖デバイス(１０)は駆動部と第１の回転要素(７)を有し、該第１の回転要素(７)はベアリング軸(４)周りのドア(２)の回転運動を吸収し、ドア(２)のベアリング軸(４)に大凡平行な回転軸(７１)を有するベアリングアセンブリにおいて、
前記第１の回転要素(７)とドア(２)は、補償デバイスを介して互いに接続され、該補償デバイスは第１の回転要素(７)の回転軸(７１)とドア(２)のベアリング軸(４)の間の長さオフセット及び/又は角度オフセットを補償する、ベアリングアセンブリ。
【請求項２】
前記補償デバイスは、第１の回転要素(７)に回転可能に固定され、前記ドア(２)を閉方向及び開方向に動かすドライバ(９、４４)を有する、請求項１に記載のベアリングアセンブリ。
【請求項３】
前記補償デバイスは、前記第１の回転要素(７)に連結されて回転運動を伝達する少なくとも１つの第２の回転要素(８)を有し、前記第２の回転要素(８)は前記ベアリング軸(４)に大凡平行な面内にて、前記第１の回転要素(７)に対してオフセットするように配置された、請求項１に記載のベアリングアセンブリ。
【請求項４】
前記第２の回転要素(８)の回転軸(８４)は、前記ドア(２)のベアリング軸(４)と同一である、請求項３に記載のベアリングアセンブリ。
【請求項５】
前記補償デバイスは、第２の回転要素(８)に回転可能に固定され、前記ドア(２)を閉方向及び開方向に動かすドライバ(９、４４)を有する、請求項３又は４に記載のベアリングアセンブリ。
【請求項６】
前記ドライバ(９)はボルト(６３)を有し、該ボルト(６３)は前記第１の回転要素(７)又は前記第２の回転要素(８)に回転可能に固定される、請求項２又は５に記載のベアリングアセンブリ。
【請求項７】
前記ドライバ(９)のドライバアーム(９１)は、第１又は第２の回転要素(７、８)の回転軸(７１、８４)に対して、７５°と１０５°の間でボルト(９３)上に傾き可能に保持される、請求項６に記載のベアリングアセンブリ。
【請求項８】
前記ドライバ(９)は、前記ドア(２)の凹部(４２)に挿入可能である、請求項２乃至４の何れかに記載のベアリングアセンブリ。
【請求項９】
前記ドライバ(４４)は、ドア(２)のベアリング要素(６)内に収容されるボルトとして構成され、ドア(２)に対して回転可能に固定される、請求項２又は５に記載のベアリングアセンブリ。
【請求項１０】
前記第１又は２以上の第２の回転要素(７、８)内に突出する端部(４５)、及び/又はドア(２)内に突出するドライバ(４４)の端部は、前記第１又は２以上の第２の回転要素(７、８)の回転軸(７１、８４)の周りを所定角度だけ傾き得る、請求項９に記載のベアリングアセンブリ。
【請求項１１】
前記第１又は２以上の第２の回転要素(７、８)内に突出する端部(４５)、及び/又はドア(２)内に突出するドライバ(４４)の端部は、第１又は第２の回転要素(７、８)の回転方向にぴったり嵌まるように取り付けられ、ドライバ(４４)の端部(４５)の周縁接触面は球形に構成された、請求項１０に記載のベアリングアセンブリ。
【請求項１２】
閉方向(１０)において、少なくとも１つの回転範囲に亘ってドア(２)の回転運動を減衰するダンパ(２０)が受け入れられて、前記第１の回転要素(７)に連結される、請求項１乃至１１の何れかに記載のベアリングアセンブリ。
【請求項１３】
前記閉鎖デバイス(１０)及び/又はダンパ(２０)を動かす湾曲したガイド(３０)は、前記第１の回転要素(７)上に配置される、請求項１乃至１２の何れかに記載のベアリングアセンブリ。
【請求項１４】
前記閉鎖デバイス(１０)はハウジング(５)内に収容される、請求項１に記載のベアリングアセンブリ。
【請求項１５】
前記第１の回転要素(７)は、第３の回転要素(８３)を介して第２の回転要素(８)に連結される、請求項３に記載のベアリングアセンブリ。
【請求項１６】
前記第１の回転要素(７)は、歯付きベルト(８１)を介して第２の回転要素(８)に連結される、請求項３に記載のベアリングアセンブリ。
【請求項１７】
前記第１の回転要素(７)は、連結ロッド(８２)を介して第２の回転要素(８)に連結される、請求項３に記載のベアリングアセンブリ。
【請求項１８】
少なくとも１つの回転可能なドア(２)を有して、該ドア(２)は請求項１乃至１７に記載の少なくとも１つのベアリングアセンブリによって本体(３)上に保持された、冷蔵庫又は冷凍庫(１)。
【請求項１９】
前記ベアリングアセンブリは、本体(３)の外側に固定される、請求項１８に記載の冷蔵庫又は冷凍庫(１)。
【発明の詳細な説明】
【技術分野】
【０００１】
本発明は、ドア又は家庭用器具の要素であるドア用のベアリングアセンブリに関し、特に請求項１の前提部分に従った冷蔵庫又は冷凍庫用のベアリングアセンブリに関する。
【背景技術】
【０００２】
ドアクローザ又はスイングドア駆動具を用いて駆動可能な家庭用器具用の家具の要素であるスイングドアは、ヨーロッパ公開公報2020477号から公知である。ドアクローザは、この場合駆動軸を有し、スイングドアと相互作用し、駆動軸の回転はスイングドアの回転を引き起こす。この駆動軸の回転軸は、この場合スイングドアの回転軸と同じである。
【０００３】
スイングドアとドアクローザの間を堅固に接続すると、この場合、スイングドアの回転軸の外側にある駆動軸の小さなオフセット量がドアヒンジの摩耗及び/又はドアクローザの駆動軸の摩耗に帰結するとの不利な点がある。
【０００４】
スイングドアとドアクローザの間の接続内で誘発される高い摩擦力により、スイングドアを駆動するのに大きな力が要求され、ドアクローザの回転軸とスイングドアの回転軸間のオフセット量は、ドアクローザの力がドアを完全に閉じるのに不十分であるとの結果を時々有する。
【０００５】
従って、ドアクローザの家具要素又は家庭用器具への据え付けも、非常に正確に実行され、できるだけそのような軸方向の調整を排除する。
【０００６】
本発明の目的は、家具又は家庭用器具の要素のドア用のベアリングアセンブリを提供することであり、該ベアリングアセンブリを用いてドア用の閉鎖デバイスの簡単で柔軟な位置決めが可能になる。
この目的は、請求項１の特徴を有する家具又は家庭用器具の要素のドア用のベアリングアセンブリを用いて達成される。
【発明の概要】
【０００７】
本発明に従ったベアリングアセンブリは、家具又は家庭用器具の要素の本体上にて、ドアをベアリング軸の周りに回転可能に取り付けるベアリング要素と、家具又は家庭用器具の要素の本体、又はドアに固定される閉鎖デバイスを有し、閉鎖デバイスによって、ドアは回転範囲に亘って閉方向又は開方向に駆動部によって動かされる。閉鎖デバイスは駆動部とドアのベアリング軸に略平行な回転軸を有する第１の回転要素を有し、第１の回転要素はベアリング軸周りのドアの回転運動を吸収する。この第１の回転要素は、補償デバイスを介してドアに接続され、該補償デバイスは第１の回転要素の回転軸とドアのベアリング軸の間の長さオフセット及び/又は角度オフセットを補償する。
【０００８】
ドアの回転軸と回転運動を吸収する第１の回転要素の間の長さオフセット及び/又は角度オフセットの補償、及びこれらを用いてドアを閉じ又は開く閉鎖デバイスが駆動されることは、種々の利点を伴って可能となる。
一方では、例えばドアヒンジの摩耗又は時間経過によるドア沈下故の交差及び変位の補償はこのように可能になる。
【０００９】
更に、本発明に従ったベアリングアセンブリにより、補償デバイスに対応して寸法付けられる閉鎖デバイスが、ドアの回転軸と閉鎖デバイスが正確に対応しているかを確実にすることなく、家具又は家庭用器具の要素の本体に取り付けられることが出来る。
【００１０】
本発明に従ったベアリングアセンブリの更なる利点は、原則として閉鎖デバイスの実施形態は、異なる緩衝装置(suspension)を有するドアを有する家具又は家庭用器具に用いられ、補償デバイスのみがドアの緩衝装置の機構に適応される。
本発明の有利な実施形態は、従属請求項の主題事項である。
【００１１】
本発明の１つの有利な実施形態の変形例に従って、補償デバイスは第１の回転要素に回転可能な方法で固定されるように連結されて、ドアを閉方向及び/又は開方向に動かすドライバを有し、該ドライバによって閉鎖デバイスによる回転要素の１つからの回転運動のドアへの伝達、又はその逆方向の伝達が成される。そのようなドライバによって、閉鎖デバイスの回転軸に対するドアのベアリング軸の変位の公差又は角度オフセットの補償が可能となる。
【００１２】
好ましい実施形態の変形例に従って、ドライバはこのようにボルトとドライバアームを有し、ドライバは第１の回転要素に回転可能な方法で固定され、ドライバアームは第１の回転要素の回転軸に対して、７５°と１０５°の間の角度範囲で傾くようにボルト上で保持される。そのようなドライバを用いて、ドアの垂直沈下の補償も可能となる。
【００１３】
その上で上記の回動範囲内でドライバアームが傾く傾斜縁はこの場合、配列の誤り及び角度オフセットを補償するのに用いられるのが特に好ましい。
【００１４】
本発明の更なる好ましい実施形態の変形例に従って、ドライバはドアの凹部に挿入可能である。ドア内のこの凹部はこの場合、ドライバの挿入部よりも大きな寸法であり、上記の如く、ドライバの傾きを許すのが好ましい。ドアに対して挿入部が変位し、対応する配列の誤りを補償する。
逆の場合、勿論、例えばドア上又はドア内に固定されたボルトであるドアの突出部は、例えばドライバの開口内に突出することによってドライバに連結される。
【００１５】
本発明の更なる代替の実施形態の変形例に於いて、ドライバはドアのベアリング要素を用いて回転可能に固定される方法で収容されるボルトとして構成される。ベアリング要素はこの場合、ドライバ用の通路ボアホールを有するヒンジとして構成されるのが好ましく。ボルトはドアの凹部に回転可能に固定される方法で受け入れられる。
【００１６】
この変形例において、ドアの回転軸と第１の回転要素の間の角度オフセットを可能にすべく、更なる好ましい実施形態の変形例に従って、第１の回転要素内に突出するドライバの端部は、第１の回転要素の回転軸周りに所定の角度だけ傾くことが出来る。これは、ドライバの端部を球形のヘッド形状に形成することによって達成されるのが好ましい。ドライバの端部はこの場合、第１の回転要素に、第１の回転要素の第１の回転方向にぴったり合うように取り付けられ、ドライバの端部の周縁の接触面は、球状に構成される。
この方法で、ドライバはまた少し傾いた状態で、第１の回転要素に回転可能に固定された接続を維持することが出来る。
【００１７】
ドライバをドアに連結する更なる可能性も考えられる。ドライバは冷蔵庫のドアの端面上の底部/頂部に固定され得る、又はその上を塞ぎ、又はその中に挿入される。ドアの内面に連結することは、家具又は家庭用器具の要素の外観を変更することがないことを提示している。
【００１８】
本発明の更なる有利な実施形態の変形例に従って、補償デバイスは、第１の回転要素に連結されて回転運動を伝える少なくとも１つの第２の回転要素を有する。該第２の回転要素は、ベアリング軸に略平行な面内にて、第１の回転要素に対してオフセットして配置されている。
第２の回転要素を有する補償デバイスの構成の場合、上記のドライバは第２の回転要素に連結されている。
【００１９】
ドアの回転運動は、第２の回転要素を用いて種々の方法で伝達される。例えば歯付きベルトを介して、回転要素を互いに接続することも考えられる。
２つの回転要素間の長い距離を橋渡しすることはこのように可能であり、閉鎖デバイスは例えば対応する長い歯付きベルトを用いて、更に後方、即ち家具又は家庭用器具の要素の後壁の方向に位置し、好ましくはその上側に位置する。
【００２０】
閉鎖デバイスがドアに取り付けられれば、第２の回転要素への回転要素の伝達は、ドアの所定箇所に閉鎖デバイスを位置決めする目的で用いられ得て、該所定箇所にて本体に対してベアリング点の近くに存在するよりも大きな構造空間がこの目的から利用可能になる。
２つの回転要素を歯車として構成することも考えられ、ドアの回転運動は、歯車として構成された回転要素の歯を噛み合わせることによって閉鎖デバイスに伝達される。
【００２１】
閉鎖デバイスの制御によっては、第１及び第２の回転要素の回転方向を同じに保つべく、歯車として構成された第１と第２の回転要素の間に、中間要素として第３の歯車を挿入することも考えられる。
第２の回転要素の回転軸は、この場合、ベアリング軸と同じであるのが好ましい。構造的な偏差/公差は上記の如く、上記のドライバの使用によって補償される。
【００２２】
第２の回転要素の回転運動を伝達するのに非常に小さな空間のみが必要であるから、閉鎖デバイス及び補償デバイスが、家具又は家庭用器具の要素の本体の上又は下に取り付けられれば、家具又は家庭用器具の要素のドアの縁を超えて突出しないように、閉鎖デバイス及び/又は補償デバイスを囲むハウジングを簡単な方法で構成することが可能になる。
【００２３】
本発明の更なる好ましい実施形態の変形例に従って、大凡少なくとも１つの回転範囲でドアの回転運動を減衰するダンパが閉鎖デバイス内に収容され、ダンパは第１の回転要素に連結される。信頼性のある閉鎖に加え、ドアの開き及び/又は閉じ時にドアの減衰が可能となる。
【００２４】
閉鎖デバイス及び/又はダンパの動作の湾曲したガイドが第１の回転要素上に配置されて、閉鎖デバイスの駆動部から第１の回転要素へ回転要素を伝達し、及び/又は閉鎖デバイスの駆動部の第１の回転要素から付随的にダンパに回転要素を伝達するのが好ましい。
【００２５】
閉鎖又は開き又は減衰用の力を正確に設定することはそのような湾曲したガイドの使用により可能となる、何故ならドア閉鎖デバイス及び/又はダンパとの間に堅固な連結はもはや配備されず、この連結は１以上の湾曲ガイドを介して起き、ドアの回転時に、閉鎖デバイス及び/又はダンパに作用する。閉鎖デバイス及びダンパの両方はこの場合、バネによって湾曲したガイドに対して予め張力を架けられる。
本発明に従ったベアリングアセンブリは特に家具又は家庭用器具、例えば冷蔵庫及び冷凍庫の要素に使用可能である。
【図面の簡単な説明】
【００２６】
本発明は、添付の図面を参照して例示的な実施形態に基づいて、以下により詳細に記載される。
【図１】図１は、本発明に従ったベアリングアセンブリを有する冷蔵庫の斜視図を示す。
【図２】図２は、冷蔵庫上に配置されたベアリングアセンブリの平面図である。
【図３】図３は、閉鎖デバイス内に含まれる更なるダンパを有するベアリングアセンブリの閉鎖デバイスの平面図である。
【図４】図４は、図２をIVで識別される破断面におけるベアリングアセンブリの断面図である。
【図５】図５は、傾き可能なドライバを有する本発明に従ったベアリングアセンブリの好ましい変形例を示す図である。
【図６】図６は、傾き可能なドライバを有する本発明に従ったベアリングアセンブリの好ましい変形例を示す図である。
【図７】図７は、傾き可能なドライバを有する本発明に従ったベアリングアセンブリの好ましい変形例を示す図である。
【図８】図８は、傾き可能なドライバを有する本発明に従ったベアリングアセンブリの好ましい変形例を示す図である。
【図９】図９は、ドアのベアリング要素に受け入れられるドライバを有する本発明に従ったベアリングアセンブリの代替の変形例を示す図である。
【図１０】図１０は、本発明に従ったベアリングアセンブリの変形例の断面図であり、球状の端部を備えたドライバを図示する。
【図１１】図１１は、図１０のドライバの球状の端部の平面図を示す。
【図１２】図１２は、本発明に従ったベアリングアセンブリの別の変形例の平面図であり、ドアの回転運動を閉鎖デバイスの回転要素に伝える少なくとも１つの第２の回転要素を有する。
【図１３】図１３は、本発明に従ったベアリングアセンブリの別の変形例の平面図であり、ドアの回転運動を閉鎖デバイスの回転要素に伝える少なくとも１つの第２の回転要素を有する。
【図１４】図１４は、本発明に従ったベアリングアセンブリの別の変形例の平面図であり、ドアの回転運動を閉鎖デバイスの回転要素に伝える少なくとも１つの第２の回転要素を有する。
【図１５】図１５は、本発明に従ったベアリングアセンブリの別の変形例の平面図であり、ドアの回転運動を閉鎖デバイスの回転要素に伝える少なくとも１つの第２の回転要素を有する。
【発明を実施するための形態】
【００２７】
以下の図面の記載において、上、下、左、右、前、後等のような用語は、ベアリングアセンブリ、ドア、閉鎖デバイス、回転要素、ドライバ等の図示及び位置のみに関し、各図面の例示によって選択される。これらの用語は限定的と解されず、即ちこれらの基準は種々の作動位置又は鏡面対称の構成等によって変化する。
【００２８】
図１において、冷蔵庫又は冷凍庫の形式である家庭用器具は全体として符号１で識別される。この冷蔵庫又は冷凍庫１は、ドア２が回転可能に取り付けられる本体３を備え、該本体上にドア２が回転可能に取り付けられる。家庭用器具１の本体３に固定されるベアリング要素６は例えば図４に示され、ベアリング要素６はドア２の取付けに用いられる。該ベアリング要素６を用いてドア２は家庭用器具１の本体３に回転可能に固定される。
【００２９】
閉鎖デバイス１０は図１に符号５で識別されるハウジングに配置され、該閉鎖デバイスによってドア２は閉方向の特定の回転範囲に亘って駆動部によって移動可能である。例えば、圧縮バネとして構成されるバネである力蓄積器１１がこの場合、駆動部として用いられるのが好ましい。
駆動部の他の実施形態も考えられる。駆動部はこのように、例えば電気的な駆動部、特に電気的なモータとしても構成され得る。
【００３０】
閉鎖デバイス１０の１つの好ましい実施形態が図３に示される。以下に詳細に記載される図３に示す閉鎖デバイスの場合、閉鎖デバイス１０に加えダンパ２０が収容され、閉鎖デバイス１０とダンパデバイス２０の両方は第１の回転要素７に連結され、該第１の回転要素７はベアリング軸４回りのドアの回転を吸収し、ドア２のベアリング軸４に実質的に平行な回転軸７１を有する。
【００３１】
第１の回転要素７からドア２に回転運動を伝えるべく及び/又はドア２から第１の回転要素７に回転運動を伝えるべく、第１の回転要素７及びドア２は補償デバイスを介して互いに接続されて、第１の回転要素７の回転軸７１とドアのベアリング軸４との間のオフセット又は角度オフセットを補償する。
【００３２】
そのような補償デバイスの変形例の第１の実施形態は、図４に示される。補償デバイスは、ここではドライバ９を有し、該ドライバ９はドア２に取り付け可能で、回転可能に取り付ける方法で第１の回転要素７に連結される。
図４から分かるように、ベアリング要素６は家庭用器具の本体３の所定箇所に固定され、例えばネジ６１を用いて本体に螺合される。ドア２の第１の凹部４３内に挿入されるボルト６３がベアリング要素６のアーム６２上の本体から離れた端部に配置され、アーム６２はドア２の方向に突出している。
【００３３】
更なるベアリング要素６がこの場合、家庭用器具の底領域にて本体３に固定され、ボルト６３はドア２の底開口内に突出し、該底開口は対応する凹部４３(図示せず)内で上向きであり、このように、ドアを家庭用器具１の本体のベアリング軸４の回りに回転可能に保持する。
【００３４】
ドライバ９が第２の凹部４２内に取り付けられ、特に挿入される。ドア２の凹部４２内に挿入されるドライバ９の一部(図６に示す)は、この場合、ドア２の凹部４２内に回転可能な方法で固定される。
ドライバ９の第２端部は、この場合、閉鎖デバイス１０の第１の回転要素７に回転可能な方法で固定される。ドア２の垂直沈下はドアの凹部４２内に挿入されるドライバ９によって補償され、ドライバ９を介したドア２の回転運動を閉鎖ユニット１０へ伝達することを邪魔しない。
【００３５】
ドア２の凹部４２に対するドライバ９の挿入部９２の変位の可能性も付与されて、第１の回転要素７の軸７１、又は第２の回転要素８の軸８４に対するドア２の軸４の配列誤りを補償する。
１つの特定の好ましい実施形態に従って、図５乃至図８に示すように、ドライバ９はボルト９３を有し、該ボルト９３は第１の回転要素７に回転可能に固定される方法で連結される。ボルト９３はこの場合、第１の回転要素７に回転可能に固定される方法で接続される。
【００３６】
ドライバ９のドライバアーム９１は、この場合、第１の回転要素７の回転軸７１に対して、好ましくは７５°と１０５°の間の角度範囲でボルト９３上にて傾くように保持される。この場合、図５、図６及び図８に見られるように、ドライバアーム９１は屋根形状に構成され、互いに鈍角に配置された２つの脚部を有し、カラー９５上に載っている。カラー９５はボルト９３を囲み、屋根形状に構成され、このカラー９５の頂点はドライバアーム９１用の傾斜縁を形成し、従って、第１の回転要素７の回転軸７１とドア２の回転軸４との間の角度オフセットを補償する。
【００３７】
図６乃至図８に見られるように、取付け部９４が屋根形状のドライバアーム９１から延び、該取付け部９４からドライバの櫂形状の挿入部９２が垂直下向きに配置され、ドア２の凹部４２内に挿入され得る。
図８に見られるように、この凹部４２はドライバ９の挿入部９２よりも大きな寸法であり、ドア２の凹部４２内でのドライバの傾き動作及び変位動作を可能にする。
図８及び図１４に更に見られるように、ベアリング要素６はドライバ９に接続されず、該ベアリング要素６からアーム６２がドア２に向けて延びている。ボルト６３がベアリング要素６のアーム６２からドア２に向かって下向きに延び、このボルトはドアのベアリングボルトとして用いられ、ドアの凹部４３内に収容される。
【００３８】
図９に示される代替の実施形態では、ドライバ４４は、ベアリング要素６内のドア２に回転可能な方法で固定され収容され得るボルトとして構成されている。この目的から、スリーブ６４がベアリングアーム６２の領域のベアリング要素６に提供され、ドアの凹部４３内で回転することが出来る。ドライバ４４はこの場合、スリーブ６４によって塞がれ、ドア２上の端部にて回転可能に固定される方法で保持される。スリーブ６４の内径箱の場合、ドライバ４４に対して十分なクリアランスが存在するように寸法付けられ、配列誤り又は角度オフセットが発生しても、スリーブ６４とドライバ４４の間の接触は生じない。ドライバ４４は他端部にて閉鎖デバイス１０の第１の回転要素７に回転可能に固定されるように保持される。
【００３９】
図１０及び図１１に示すように、ここで回転軸の角度偏差を可能にすべく、第１の回転要素７上に回転可能に固定されるように保持されるドライバ４４の端部４５は、第１の回転要素７の回転軸７１の周りに所定角度だけ傾き得る。
この目的から、ドライバ４４の端部４５は、球形に形成されるのが好ましい。ドライバ４４の球状の端部４５の形成の変形例の特別な実施形態は、図１１の平面図に示される。ドライバ４４の端部４５は、第１又は第２の回転要素７、８の回転方向にぴったり合うように第１又は第２の回転要素７、８内に取り付けられ及び/又は収納される。端部４５の周囲の接触面は球状に形成されて、第１又は第２の回転要素７、８の回転軸とドライバ４４の長軸の角度オフセットが有る場合でさえ、回転運動は回転要素７、８からドライバ４４に伝達され、従ってドアのベアリング軸４と第１の回転要素７の回転軸７１との間の角度オフセットが可能となる。
【００４０】
球状に対応して、ドライバ４４の端部をドア２内に突出するように形成し、ドライバ４４が更に又は或いは、ドア２の凹部４２内にて傾くように保持されることも考えられる。
補償デバイスの多数の実施形態の変形例が、図１２から図１５に示され、ドア２のベアリング軸４と閉鎖デバイス１０の第１の回転要素７との間の水平オフセットを補償することが出来る。
【００４１】
この目的から、図１２乃至図１５に従った補償デバイスは少なくとも１つの第２の回転要素８を有し、該第２の回転要素８は第１の回転要素７に連結されて回転運動を伝達し、ベアリング軸４に略平行な面内にて、第１の回転要素７に対してオフセットして配置されている。第２の回転要素８の回転軸８４はこの場合、ドアのベアリング軸４と同一であるのが好ましいが、これと異なるように、例えば図４乃至図８に対応したドライバ９と組み合わせて、ドライバ９がドア２の回転軸４の外側でドア２に固定され、回転運動を第２の回転要素８に伝達する。
【００４２】
この場合、歯付きベルト８１は水平方向の軸のオフセットｄｘを伝達するのに用いられて、この歯付きベルトは第１の回転要素７を第２の回転要素８に接続し、該歯付きベルトを用いてドアの回転軸４、７１と回転要素７間の大きな距離は架け渡されて、歯付きベルトは閉鎖デバイス１０を駆動し、又はそれによって駆動される。
図１３に示す実施形態の変形例では、第１の回転要素７及び第２の回転要素８は連結ロッド８２により互いに接続され、２つの回転要素の等しい回転を確実にする。回転運動が十分に大きく、回転要素の死点は連結ロッド８２によって１８０°展開した位置に動かされると、１つの回転要素の回転方向に亘って切り換えるリスクが存在する。これを防ぐべく、連結ロッド８２は楕円形の孔を有し、この孔の中でボルトが案内され、該孔は閉鎖デバイス１０上に回転可能に取り付けられた回転レバー上に配置される。
【００４３】
図１４に示す実施形態の変形例にて、第１及び第２の回転要素７、８は歯車として構成され、第１の回転要素７と第２の回転要素８の間の回転方向を維持する。
この場合、閉鎖デバイスに対するドアの速度伝達比は、回転要素７、８、８３の歯数の選択によって規定される。
【００４４】
閉鎖デバイスの実施形態の変形例として閉鎖デバイスの更なる要素に同じ要素を用いることが出来るためには、この場合、１:１の比が選択されるのが好ましく、該例では第１の回転要素７は歯車として具体化されない。
図１５に示す実施形態の変形例にて、第１及び第２の回転要素７、８は歯車として構成され、２つのみの歯車を使用することにより、回転運動が逆転する結果として、回転運動の閉鎖デバイス１０への中継及び/又は閉鎖デバイスから回転要素７、８への中継はここで確実になる。
【００４５】
しかし、回転運動の逆転はドア２上の閉鎖デバイス１０の動作モードを逆転する目的で意図的に用いられ、例えばドア２は開き時、閉じ動作時に代えて開き位置の最終位置に達する前に部分的に、又はドア２の開き動作時に閉鎖デバイス１０によって補助される。
歯車として構成された２つの回転要素７、８の伝達比を適切に、例えば伝達比を１：２に選択した状態で、ドア２の回転要素は第１の回転要素７上で例えば１３０°から６５°に減じられる。
【００４６】
ダンパが更に一体化された閉鎖デバイスの１つの好ましい実施形態の変形例は、以下に説明される。
閉鎖デバイス１０は、圧縮バネとして構成され、２つの端部１２と１３の間に張力を架けるバネ１１を備えている。この場合、第１の端部１２はハウジング５上の軸１６の回りに回転可能に取り付けられる。反対側では、端部１３は回転可能な駆動部１８上に配置された軸１７の回りに取り付けられる。回転可能な駆動部１８は、ハウジング５上の軸１９の回りに回転可能に取り付けられる。この場合、バネ１１はロッド１５上に押されるスリーブ１４によって案内され、２つの端部１２と１３の長さ補償を実行することが出来る。
【００４７】
更に、ハウジング５内にダンパ２０が配備され、該ダンパ２０はハウジング２１とピストンロッド２２を有する線形圧縮ダンパとして構成される。この場合、ピストンロッド２２はハウジング２１内に引き込み可能であり、対応するピストンを介してピストンロッド２２が引き込まれる際に、高い減衰力が付与され、ピストンロッド２２の伸長はスムーズに行われる。
【００４８】
ハウジング２１はこの場合、ホルダ２４上のケースに固定され、該ホルダはハウジング５上の軸２５の周りを回転可能に取り付けられる。ピストンロッド２２は反対側にてホルダ２６を介して回転部２８に接続され、ホルダ２６は軸２７の周りを回転可能である。回転部２８はこの場合、ハウジング５の軸１９の周りを回転可能に取り付けられ、ハウジング５上に駆動部１８も取り付けられ、駆動部１８及び回転部２８は軸１９の周りを互いに独立して回転する。
【００４９】
ベアリング軸４に回転可能に固定されるように配置される湾曲したガイド３０は、閉鎖デバイス１０及びダンパ２０を駆動する為に配備される。湾曲したガイド３０は、駆動部１８及び回転部２８に作用する制御突起３１、３２、３３を備える。この目的から、ローラ４０が駆動部１８で回転可能に取り付けられ、一方、ローラ４１は回転部２８上で回転可能に保持される。或いは、ローラはスライド要素に置換されて、制御突起と駆動部及び/又は回転部２８の間の可能な最低の摩擦を有する配列(sequence)が確実になる。
【００５０】
更に、捕捉機構が、張力が架けられた位置に閉鎖デバイス１０をラッチすべく、ハウジング５内に付与され、捕捉機構はハウジング５上の軸３８周りに回転可能に取り付けられた回転可能なつめ３５を備える。図３に示されるように、ドア２が閉位置から開かれる場合、ベアリング軸４はこのように反時計方向に湾曲したガイド３０を回転させ、その結果、第１の制御突起３１はローラ４０に作用して、閉鎖デバイス１０のバネ１１を引っ張る。同時に、制御突起３１が回転するから、ダンパ２０は２０°と６０°の間の閉位置と開位置の間の回転範囲で開放される。それによって、回転部２８は回転部２８がハウジング上のストッパ４２上に停止するまで、軸１９の周りを時計方向に回転する。ピストンロッド２２がハウジング２１から伸長し、それにリンクした回転部２８の回転がこの場合、ホルダ２６とホルダ２４の間に配置されたバネ２３の力によって生じる。
【００５１】
制御突起３１がローラ４０に作用し、同時に駆動部１８を更に時計方向に回転させて、閉鎖デバイス１０のバネ１１を圧縮するから、ドア２の開き時に、ホルダ２４とホルダ２６との間のダンパ２０は、閉鎖デバイス１０が更に張力が架けられても、当初はその長さを変えない。
【００５２】
３５°と５０°の間の開き角度でドアが開く際に、捕捉機構の制御カーブ３４は、つめ３５のアーム３７に更に係合し、軸３８の周りを回転する。大凡Ｖ字形の爪３５の第２のアーム３６はこのように、駆動部１８に向かって回転する。制御カーブ３４は、この場合つめ３５をバネ３９の力に抗して回転させ、つめ３５にロック解除位置に予め張力を架ける。
【００５３】
ドア２が更に開方向に移動すると、アーム３６は端部１３に係合して、閉鎖デバイス１０をラッチする。制御カーブ３４はアーム３７を離し、制御突起３１はバネ１１がアーム３６にラッチするためのラッチを少し緩め、ローラ４０が制御突起３１から持ち上げられるように構成される。
ドア２が例えば約１００°の開き角度まで更に開方向に移動すると、ドア２は自由に動いて、閉鎖デバイス１０もダンパ２０もドア２に開き又は閉じ力を発揮しない。何故なら、閉鎖デバイス１０は爪３５にラッチされて静止状態を保つ一方、ダンパ２０はストッパ４２を押し、静止状態に配列されるからである。
【００５４】
ドア２が更に開方向に移動すると、湾曲したガイド３０の更なる制御突起３３は回転部２８及び/又はローラ４１に係合して、回転部２８を反時計方向に回転させる。ダンパ２０はこのように圧縮され、ピストンロッド２２はハウジング２１内に引っ込まれ、それによって減衰力が生成される。約１５５°の開き角度から約１８０°の最大開き位置までの移動時に、ダンパ２０はこのように圧縮される。閉鎖デバイス１０は未だラッチされた位置にあり、従ってドア２に如何なる力も発揮しない。開き角度は最大で９０°から１８０°である。
【００５５】
ドア２が最大の開位置から閉位置に動かされると、先ずダンパ２０は圧縮位置から再び伸長し、その移動はバネ２３によって実行され、ドア２の閉じ時に、ダンパ２０の伸長故にユーザは如何なる力も知覚しない。ドア２が約６０°から７０°の開き角度にて、制御突起３１が駆動部１８のローラ４０に接触し同時に制御カーブ３４がつめ３５のアーム３７を突くまで閉方向に更に動かされる。閉鎖デバイス１０のバネ１１の軽い圧縮及び制御カーブ３４によるつめ３５の回転ゆえに、つめ３５はバネ３９の力によって軸３８周りに回転されるから、つめはロック解除位置に動かされる。
【００５６】
ドア２が２０°と６０°の間の閉じ角度にて、更に閉方向に移動すると、制御突起３1はローラ４１と係合して、回転部２８を反時計方向に回転させ、ダンパ２０を圧縮位置に動かす。減衰力はこのように、ドア２の閉じ時にも生成される。同時に閉鎖デバイス１０が作動する、何故なら制御カーブ３４によりロック解除されており、バネ１１は駆動部１８を軸１９の周りに反時計方向に回転させ、ローラ４０は制御位置の後側に逃げる(run)。
【００５７】
製造公差の結果として、ドア２が０°を超えて閉じると、示されるベアリングアセンブリを用いてこれが可能であり、この目的から更なる制御突起３２が制御カーブ上に配備されて、最大閉じ力を低く維持する。
【００５８】
示される例示的な実施形態にて、閉鎖デバイス１０の駆動部１８及びダンパ２０の回転部２８が共通の制御カーブを形成する同じ制御突起３１を用いて部分的に駆動される。勿論、ベアリング軸４上に２つの別個の制御カーブを付与することも可能であり、１つの制御カーブは専ら駆動部１８に関与し、２番目の制御カーブは専ら回転部２８に関与する。更に、駆動部１８及び回転部２８は共通の軸１９を介して取り付けられていない。これらの各要素はまた、別個の軸を有する。
【００５９】
制御突起３１、３２及び３３の形状は、夫々意図した使用に構成される。例えば、２０°と３０°の間の開き範囲よりも最大の閉位置に達する前の短い角度範囲にて減衰力を大きくすることも可能である。更に、閉鎖デバイスのバネ１１は湾曲したガイド３０によって制御され、閉じ力は閉位置にて低く維持され、シール上の力を維持し、その一方、閉じ力は少しの開き範囲で大きくなる。
【００６０】
本発明の実施形態に依存して、ベアリング軸４は別個のベアリング軸として実施され得る。換言すると、ベアリング軸は例えば組立時にドアに既に取り付けられ、ベアリングアセンブリはベアリング軸に差し込まれ、ベアリング軸は間接的に湾曲したガイドに接続される。
記載されたベアリングアセンブリは、家具又は家庭用器具１の要素の右側又は左側に用いられ、特別な右又は左側の要素は必要ではない。
閉鎖デバイス１０をドア上又はドア内に固定し、この場合、ドライバ９、４４が家具の要素の本体３上に支持されることも考えられる。
【００６１】
１    家庭用器具
２    ドア
３    本体
４    ベアリング軸
５    ハウジング
６    ベアリング要素
６１  ネジ
６２  アーム
６３  ボルト
６４  スリーブ
７    第１の回転要素
７１  回転軸
８    第２の回転要素
８１  歯付きベルト
８２  連結ロッド
８３  第３の回転要素
８４  回転軸
９    ドライバ
９１  ドライバアーム
８２  挿入部
９３  ボルト
９４  取付部
９５  カラー
１０  閉鎖デバイス
１１  バネ力蓄積器
１２  端部
１３  端部
１４  スリーブ
１５  ロッド
１６  軸
１７  軸
１８  駆動部
１９  軸
２０  ダンパ
２１  ハウジング
２２  ピストンロッド
２３  バネ
２４  ホルダ
２５  軸
２６  ホルダ
２７  軸
２８  回転部
３０  湾曲したガイド
３１  制御突起
３２  制御突起
３３  制御突起
３４  制御カーブ
３５  つめ
３６  アーム
３７  アーム
３８  軸
３９  バネ
４０  ローラ
４１  ローラ
４２  第２凹部
４３  第１凹部
４４  ドライバ
４５  端部
ｄｘ、ｄｚ  オフセット
【図１】
2017516056.tif 000003
【図２】
2017516056.tif 000004
【図３】
2017516056.tif 000005
【図４】
2017516056.tif 000006
【図５】
2017516056.tif 000007
【図６】
2017516056.tif 000008
【図７】
2017516056.tif 000009
【図８】
2017516056.tif 000010
【図９】
2017516056.tif 000011
【図１０】
2017516056.tif 000012
【図１１】
2017516056.tif 000013
【図１２】
2017516056.tif 000014
【図１３】
2017516056.tif 000015
【図１４】
2017516056.tif 000016
【図１５】
2017516056.tif 000017
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
家具又は家庭用器具(１)、特に冷蔵庫又は冷凍庫の要素のドア(２)用のベアリングアセンブリであって、
- 家具又は家庭用器具(１)の要素の本体(３)上にて、ドア(２)をベアリング軸(４)の周りに回転可能に取り付けるベアリング要素(６)と、
- 家具又は家庭用器具(１)の要素の本体(３)上、又はドア(２)上に固定される閉鎖デバイス(１０)であって、それによってドア(２)が駆動部により閉方向及び/又は開方向の特定の回転範囲に亘って動作可能な閉鎖デバイス(１０)とを有し、
- 前記閉鎖デバイス(１０)は駆動部と第１の回転要素(７)を有し、該第１の回転要素(７)はベアリング軸(４)周りのドア(２)の回転運動を吸収し、ドア(２)のベアリング軸(４)に大凡平行な回転軸(７１)を有し、
前記第１の回転要素(７)とドア(２)は、補償デバイスを介して互いに接続され、該補償デバイスは第１の回転要素(７)の回転軸(７１)とドア(２)のベアリング軸(４)の間の長さオフセット及び/又は角度オフセットを補償するベアリングアセンブリにおいて、
閉方向において、少なくとも１つの回転範囲に亘ってドア(２)の回転運動を減衰するダンパ(２０)が受け入れられて、前記第１の回転要素(７)に連結される、ベアリングアセンブリ。
【請求項２】
前記補償デバイスは、第１の回転要素(７)に回転可能に固定され、前記ドア(２)を閉方向及び開方向に動かすドライバ(９、４４)を有する、請求項１に記載のベアリングアセンブリ。
【請求項３】
前記補償デバイスは、前記第１の回転要素(７)に連結されて回転運動を伝達する少なくとも１つの第２の回転要素(８)を有し、前記第２の回転要素(８)は前記ベアリング軸(４)に大凡平行な面内にて、前記第１の回転要素(７)に対してオフセットするように配置された、請求項１に記載のベアリングアセンブリ。
【請求項４】
前記第２の回転要素(８)の回転軸(８４)は、前記ドア(２)のベアリング軸(４)と同一である、請求項３に記載のベアリングアセンブリ。
【請求項５】
前記補償デバイスは、第２の回転要素(８)に回転可能に固定され、前記ドア(２)を閉方向及び開方向に動かすドライバ(９、４４)を有する、請求項３又は４に記載のベアリングアセンブリ。
【請求項６】
前記ドライバ(９)はボルト(６３)を有し、該ボルト(６３)は前記第１の回転要素(７)又は前記第２の回転要素(８)に回転可能に固定される、請求項２又は５に記載のベアリングアセンブリ。
【請求項７】
前記ドライバ(９)のドライバアーム(９１)は、第１又は第２の回転要素(７、８)の回転軸(７１、８４)に対して、７５°と１０５°の間でボルト(９３)上に傾き可能に保持される、請求項６に記載のベアリングアセンブリ。
【請求項８】
前記ドライバ(９)は、前記ドア(２)の凹部(４２)に挿入可能である、請求項２乃至４の何れかに記載のベアリングアセンブリ。
【請求項９】
前記ドライバ(４４)は、ドア(２)のベアリング要素(６)内に収容されるボルトとして構成され、ドア(２)に対して回転可能に固定される、請求項２又は５に記載のベアリングアセンブリ。
【請求項１０】
前記第１又は２以上の第２の回転要素(７、８)内に突出する端部(４５)、及び/又はドア(２)内に突出するドライバ(４４)の端部は、前記第１又は２以上の第２の回転要素(７、８)の回転軸(７１、８４)の周りを所定角度だけ傾き得る、請求項９に記載のベアリングアセンブリ。
【請求項１１】
前記第１又は２以上の第２の回転要素(７、８)内に突出する端部(４５)、及び/又はドア(２)内に突出するドライバ(４４)の端部は、第１又は第２の回転要素(７、８)の回転方向にぴったり嵌まるように取り付けられ、ドライバ(４４)の端部(４５)の周縁接触面は球形に構成された、請求項１０に記載のベアリングアセンブリ。
【請求項１２】
前記閉鎖デバイス(１０)及び/又はダンパ(２０)を動かす湾曲したガイド(３０)は、前記第１の回転要素(７)上に配置される、請求項１乃至１１の何れかに記載のベアリングアセンブリ。
【請求項１３】
前記閉鎖デバイス(１０)はハウジング(５)内に収容される、請求項１乃至１２の何れかに記載のベアリングアセンブリ。
【請求項１４】
前記第１の回転要素(７)は、第３の回転要素(８３)を介して第２の回転要素(８)に連結される、請求項３に記載のベアリングアセンブリ。
【請求項１５】
前記第１の回転要素(７)は、歯付きベルト(８１)を介して第２の回転要素(８)に連結される、請求項３に記載のベアリングアセンブリ。
【請求項１６】
前記第１の回転要素(７)は、連結ロッド(８２)を介して第２の回転要素(８)に連結される、請求項３に記載のベアリングアセンブリ。
【請求項１７】
少なくとも１つの回転可能なドア(２)を有して、該ドア(２)は請求項１乃至１６の何れかに記載の少なくとも１つのベアリングアセンブリによって本体(３)上に保持された、冷蔵庫又は冷凍庫(１)。
【請求項１８】
前記ベアリングアセンブリは、本体(３)の外側に固定される、請求項１７に記載の冷蔵庫又は冷凍庫(１)。
【国際調査報告】
2017516056.tif 000018
2017516056.tif 000019
2017516056.tif 000020
2017516056.tif 000021